(57)【要約】【課題】  ドットマトリクス液晶表示手段を設ける電気炊飯器において、ドットマトリクス液晶表示手段の取付構造を工夫し、セグメント液晶表示手段との共用化を図ることができるようにする。【解決手段】  炊飯又は保温加熱制御用のマイコンを備えたマイコン基板と、該マイコン基板に対して液晶ホルダーを介して設置される液晶表示手段とを備えてなる電気炊飯器において、上記液晶ホルダーの裏面側に、ドットマトリクス表示方式の液晶表示手段を駆動制御するマイコンを備えた表示制御基板を設け、上記液晶ホルダーを介して任意にドットマトリクス表示方式の液晶表示手段を搭載駆動できるようにした。【選択図】        図２
2007050130.tif 000002
【特許請求の範囲】
【請求項１】
炊飯又は保温加熱制御用のマイコンを備えたマイコン基板と、該マイコン基板に対して液晶ホルダーを介して設置される液晶表示手段とを備えてなる電気炊飯器において、上記液晶ホルダーの裏面側に、ドットマトリクス表示方式の液晶表示手段を駆動制御するマイコンを備えた表示制御基板を設け、上記液晶ホルダーを介してドットマトリクス表示方式の液晶表示手段を搭載駆動できるようにしたことを特徴とする電気炊飯器。
【請求項２】
セグメント表示方式の液晶表示手段を駆動制御することができる炊飯又は保温加熱制御用のマイコンを備えたマイコン基板と、該マイコン基板に対して液晶ホルダーを介して設置されるセグメント表示方式の液晶表示手段とを備えてなる電気炊飯器において、上記液晶ホルダーの裏面側に、ドットマトリクス表示方式の液晶表示手段を駆動制御するマイコンを備えた表示制御基板を設け、上記液晶ホルダーを介して上記セグメント表示方式の液晶表示手段又はドットマトリクス表示方式の液晶表示手段の何れか一方の液晶表示手段を任意に搭載駆動できるようにしたことを特徴とする電気炊飯器。
【請求項３】
炊飯又は保温加熱制御に関連して液晶表示手段を駆動制御するマイコン基板は、上記セグメント表示方式の液晶表示手段およびドットマトリクス表示方式の液晶表示手段の各々に共通に使用されるようになっていることを特徴とする電気炊飯器。
【請求項４】
マイコン基板に設けられているセグメント表示方式の液晶表示手段の接続用コネクターを利用してドットマトリクス表示方式の液晶表示手段をマイコン基板に接続するようにしたことを特徴とする請求項３記載の電気炊飯器。
【発明の詳細な説明】
【技術分野】
【０００１】
本願発明は、液晶表示手段を備えた電気炊飯器に関するものである。
【背景技術】
【０００２】
最近のマイコン制御式の電気炊飯器では、液晶表示手段を備え、白米、玄米、おかゆ、おこわ等の各種炊飯メニュー、現在時刻、タイマー炊飯予約時刻、炊飯完了残時間、調理完了残時間、通常保温、低温保温等の保温メニュー、保温時間（設定時間／経過時間）などの炊飯、調理、保温に関する各種の情報が、その動作状態（待機中、セット中、セット後、炊飯又は保温動作中など）に応じて適切に表示されるようになっている。
【０００３】
そして、これまでの液晶表示手段では、一般に文字部は予じめ表示面に固定的に設定されており、それに対して所定のマーカー部を移動（点灯）させて対応表示させる一方、時刻、時間等の数字の表示には７セグメントの液晶によるセグメント表示方式が採用されていた（例えば特許文献１参照）。
【０００４】
一方、最近では、さらに上記のようなセグメント表示方式の液晶表示手段とは別に文字や絵表示の可能なドットマトリクス表示方式の液晶表示手段を設け、数字と同時に文字や絵図をも任意の位置に表示することができるようにしたものが提案されるようになっている（例えば特許文献２参照）。
【０００５】
このように、セグメント表示方式の液晶表示手段に加えてドットマトリクス表示方式の液晶表示手段を組み合わせると、現在時刻やタイマー予約時刻、保温経過時間、各種動作状態その他を文字や絵図を組み合わせた豊富な情報内容で、分りやすくユーザーに対して提供することができるようになる。
【０００６】
【特許文献１】特開２００２−２０２４９９号公報（明細書第１−１０頁、図１−９）
【特許文献２】特開２００４−２２２９３６号公報（明細書第１−８頁、図１−２２）
【発明の開示】
【発明が解決しようとする課題】
【０００７】
しかし、上記後者の従来例の場合、セグメント表示方式の液晶表示手段とドットマトリクス表示方式の液晶表示手段の各々およびそれら各々の駆動制御回路が設けられている基板は全く別々に設けられており、各々独立の専用マイコン、制御基板を有して個別に表示制御されるようになっているにすぎない。
【０００８】
したがって、部品点数が多く、設置スペースも広く、制御も複雑で、製品コストも高い。
【０００９】
本願発明は、このような事情に基いてなされたもので、通常のセグメント表示方式の液晶表示手段に代えて、またはセグメント表示方式の液晶表示手段と選択的にドットマトリクス表示方式の液晶表示手段を設けることができるようにした電気炊飯器を提供することを目的とするものである。
【課題を解決するための手段】
【００１０】
本願の請求項１〜４の発明は、それぞれ以上のような課題を解決することを目的としてなされたものであり、それぞれ次のような課題解決手段を備えて構成されている。
【００１１】
（１）  請求項１記載の発明
この発明では、炊飯又は保温加熱制御用のマイコンを備えたマイコン基板と、該マイコン基板に対して液晶ホルダーを介して設置される液晶表示手段とを備えてなる電気炊飯器において、上記液晶ホルダーの裏面側に、ドットマトリクス表示方式の液晶表示手段を駆動制御するマイコンを備えた表示制御基板を設け、上記液晶ホルダーを介してドットマトリクス表示方式の液晶表示手段を搭載駆動できるようにしたことを特徴としている。
【００１２】
このような構成によれば、液晶ホルダー裏面の空きスペースを利用して有効にドットマトリクス表示方式の液晶表示手段を駆動制御するためのマイコンを備えた表示制御基板を設置することができる。
【００１３】
したがって、上記液晶ホルダーの表面にドットマトリクス表示方式の液晶表示手段を設置することにより、容易に各種情報のドットマトリクス表示を可能とすることができる。
【００１４】
（２）  請求項２記載の発明
この発明では、セグメント表示方式の液晶表示手段を駆動制御することができる炊飯又は保温加熱制御用のマイコンを備えたマイコン基板と、該マイコン基板に対して液晶ホルダーを介して設置されるセグメント表示方式の液晶表示手段とを備えてなる電気炊飯器において、上記液晶ホルダーの裏面側に、ドットマトリクス表示方式の液晶表示手段を駆動制御するマイコンを備えた表示制御基板を設け、上記液晶ホルダーを介して上記セグメント表示方式の液晶表示手段又はドットマトリクス表示方式の液晶表示手段の何れか一方の液晶表示手段を任意に搭載駆動できるようにしたことを特徴としている。
【００１５】
このような構成によれば、液晶を設置するための液晶ホルダーをセグメント表示方式の液晶表示手段とドットマトリクス表示方式の液晶表示手段とに共用できることから、２種の液晶表示手段の搭載が容易になる。
【００１６】
（３）  請求項３記載の発明
この発明では、炊飯又は保温加熱制御に関連して液晶表示手段を駆動制御するマイコン基板は、上記セグメント表示方式の液晶表示手段およびドットマトリクス表示方式の液晶表示手段の各々に共通に使用されるようになっていることを特徴としている。
【００１７】
このように、ドットマトリクス表示方式の液晶表示手段およびセグメント表示方式の液晶表示手段各々の基本となる入出力表示制御を行うマイコン制御ユニットを備えたマイコン基板（ベース基板）を共用化すると、マイコン基板自体の汎用性が高くなり、製品コストも低下する。また、設置スペースも小さくて済む。
【００１８】
（４）  請求項４記載の発明
この発明では、上記請求項３記載の発明において、マイコン基板に設けられているセグメント表示方式の液晶表示手段の接続用コネクターを利用してドットマトリクス表示方式の液晶表示手段をマイコン基板に接続するようにしたことを特徴としている。
【００１９】
このような構成によれば、マイコン基板側の液晶表示手段接続用コネクターを必要以上に増やす必要がなく、基板の加工、接続も容易になる。
【発明の効果】
【００２０】
以上の結果、本願発明によると、ドットマトリクス表示方式の液晶表示を低コストかつコンパクトな装置構造で実現することができる。またドットマトリクス液晶と従来液晶を選択的に採用して異なる機種を構成する場合のベース基板（基本となるマイコン制御基板）を共用化することができるようになり、部品点数が減少して、低コストになる。
【発明を実施するための最良の形態】
【００２１】
図１〜図１６は、本願発明の最良の実施の形態に係る電気炊飯器の本体および要部の構成と作用をそれぞれ示している。
【００２２】
（炊飯器本体部分の構成）
該電気炊飯器の炊飯器本体は、例えば図１に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体の上部に開閉可能に設けられた蓋ユニット２とから構成されている。
【００２３】
上記内ケース４の底壁部４ａの下方側にはコイル台７が設けられ、その上部には、フェライトコア７ａを介し、上記内鍋３の底壁部３ａの中央部と側方部の各位置に対応して各々リッツ線が同心状に巻成された２組の底面ワークコイルＣ1，Ｃ2、また内鍋３の側壁部３ｂに対応して側面ワークコイルＣ3が、それぞれ内鍋３の底壁部３ａの中央部から側壁部３ｂに到る略全体を包み込むように設けられており、それらにより通電時には内鍋３の略全体にうず電流を誘起して、その全体を略均一に加熱するようになっている。
【００２４】
また、上記内ケース４の側壁部４ｂには、保温時において加熱手段として機能する保温ヒータＨ1が設けられており、保温時において上記内鍋３の全体を有効かつ均一に加熱するようになっている。
【００２５】
また、上記内ケース４の前方側には、ワークコイルＣ1，Ｃ2，Ｃ3、保温ヒータＨ1、肩ヒータＨ2等を駆動制御する上記ＩＧＢＴやヒータ駆動回路、電源電圧整流用のダイオードブリッジ、平滑回路などを備えた制御回路基板９１が、基板支持ブラケット９を介して上下方向に延びて設けられている。
【００２６】
この制御回路基板９１の下部には、例えば上記ＩＧＢＴに接して放熱用のヒートシンク１９が設けられ、その下部側には冷却ファン１７が設けられている。冷却ファン１７は、上記外ケース１の底部に形成された空気吸込グリル４９から吸入した空気を上記ヒートシンク１９および制御回路基板９１を介して内ケース４の外周囲に流し、必要な発熱部の冷却を行う。
【００２７】
また上記外ケース１は、上下方向に筒状の金属製のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図５に示すような略半月形状の操作パネル部２０が設けられている。
【００２８】
該操作パネル部２０の内側には、十分に広く大きな表示面積をもつ液晶表示部２１が設けられ、その周囲には炊飯スイッチ２６ａの操作面２２ａ、タイマー予約スイッチ２６ｂの操作面２２ｂ、取消スイッチ２６ｃの操作面２２ｃ、保温スイッチ２６ｄの操作面２２ｄ、コース選択スイッチ２６ｅの操作面２２ｅ、メニュー選択スイッチ２６ｆの操作面２２ｆ、炊き分けスイッチ２６ｇの操作面２２ｇ、時スイッチ２６ｈの操作面２２ｈ、分スイッチ２６ｉの操作面２２ｉ等の各種操作スイッチ操作面（タッチ面）が配設されている。
【００２９】
そして、該操作パネル２０の内側下方（裏面側下方）には、基板取付ブラケット５を介してマイコン基板５１が前後方向に所定の角度傾斜して設けられている。
【００３０】
マイコン基板取付ブラケット５は、例えば図２、図３に詳細に示すように、その下部５ａ側を本体側肩部材１１から下方に伸びた前面側枠部材１１ａの下部に対して固定することにより支持されており、後方側に傾斜した上部５ｂ側の前面にマイコン基板５１を取り付けている。
【００３１】
マイコン基板（マスター基板）５１上には、例えば図１５、図１６に示すように、電気回路部品として後述するマイコン制御ユニット（炊飯・調理・パン・保温等の加熱制御機能とセグメント表示方式の液晶パネル５３Ｂの表示制御機能とを備えたマスターマイコン）３２およびＥＥＰＲＯＭ４５、バックアップ電源４８が設けられており、例えば図２〜図８に示すような、液晶パネル取付部材として合成樹脂製の液晶ホルダー５５が設置されるようになっている。
【００３２】
この液晶ホルダー５５は、先ず上面側には凹溝面状の液晶パネル嵌合部５５ａが、また下面側には表示制御基板取付部５５ｂが、さらに外周部には弾性支持片２３ａ〜２３ｉを介して上記各入力スイッチ２６ａ〜２６ｉの操作ロッド２４ａ〜２４ｉが設けられ、さらに、その他にもＬＥＤカバー２８ａ，２８ｂ，２８ｄや取付脚２５，２５・・・が、それぞれ設けられている。
【００３３】
そして、同液晶ホルダー５５には、上面側液晶パネル嵌合部５５ａに、ドットマトリクス方式の液晶パネル５３Ａ（図２、図１１参照）又はセグメント表示方式の液晶パネル５３Ｂ（図３、図１２参照）の何れかが任意に選択して嵌合設置されるようになっている。また、下面側表示制御基板取付部５５ｂには、上記ドットマトリクス表示方式の液晶パネル５３Ａに対応した表示制御基板５２が取り付けられる。
【００３４】
そして、同液晶ホルダー５５は、そのように何れかの液晶パネル５３Ａ又は５３Ｂを嵌合した状態で、上記取付脚２５，２５・・・を上記マイコン基板５１側の取付穴に挿入して係合することにより、上記マイコン基板５１上に所定の間隔を保って取り付けられる（図２、図３参照）。符号５６は、液晶カバーを示す。
【００３５】
ところで、上記マイコン基板５１に対するドットマトリクス表示方式の液晶パネル５３Ａ又はセグメント表示方式の液晶パネル５３Ｂ各々の電気的な接続は、それぞれ次のようにしてなされる。
【００３６】
（１）  ドットマトリクス表示方式の液晶パネル５３Ａの設置の場合（図９参照）
ドットマトリクス表示方式の液晶パネル５３Ａは、例えば図１１に示すように、表示制御基板５２との接続用ハーネス６１およびマイコン基板５１との接続用ハーネス６２の２本のハーネスを備えて構成されており、例えば図９に示すように、表示制御基板５２を介して図１５のようにマイコン基板５１と接続される。図９中の符号６３は、表示制御基板５２のマイコン基板５１との接続用ハーネスである。
【００３７】
（２）  セグメント表示方式の液晶パネル５３Ｂの設置の場合（図１０参照）
セグメント表示方式の液晶パネル５３Ｂは、例えば図１２に示すように、マイコン基板５１との接続用ピン６０を備えて構成されており、例えば図１０に示すように、表示制御基板５２を介することなく、図１６のように直接マイコン基板５１と接続される。
【００３８】
これらの各場合において、上記マイコン基板５１側の接続用コネクター７０は、例えば図１４に示すように、上記表示制御基板５２のハーネス６３との接続部７１およびセグメント表示方式の液晶パネル５３Ｂの接続用ピン６０との接続部７２を備えて構成されており、同コネクター７０を介して共通に接続される。
【００３９】
上記マイコン基板５０上の図１５、図１６に示すマイコン制御ユニット３２には、上記各入力スイッチ２６ａ〜２６ｉを介して入力されたユーザーの指示内容を判断する所望の認識手段が設けられており、該認識手段で認識されたユーザーの指示内容に応じて所望の炊飯／調理又は保温機能、所望の炊飯／調理又は保温メニュー、それら炊飯／調理又は保温メニューに対応した所定の加熱パターンを設定して、その炊飯加熱制御手段又は保温加熱制御手段を適切に作動させて所望の炊飯／調理又は保温を行うようになっている。
【００４０】
したがって、ユーザーは、上記各入力スイッチ２６ａ〜２６ｉを使って炊飯／調理又は保温、タイマー予約、予約時刻設定、白米又は玄米、早炊、おかゆ、すしめし、炊き込み等の炊き分け、通常モード又は省エネモードその他の各種の炊飯／調理又は保温機能の選択設定内容を入力すれば、それに対応した機能内容が当該マイコン制御ユニット３２内の認識手段を介して炊飯／調理および保温加熱パターン等設定部に自動的に設定入力され、対応する炊飯／調理又は保温加熱制御が所望の制御パターン（通常／省エネ）で適切になされるようになる。
【００４１】
一方、符号２は蓋ユニットであり、該蓋ユニット２は、その外周面を構成する合成樹脂製の外カバー１２と、内周面を構成する真空二重壁構造の内カバー１３と、該内カバー１３の下側に着脱可能に設けられた金属製の放熱板１６とから構成されている。なお、符号１４は、内鍋３の開口縁部３ｃに対応するようにして上記放熱板１６の外周縁部内側に設けられたシール用のラバー製パッキン、２ａは蒸気排出口の蒸気キャップである。
【００４２】
この蓋ユニット２は、上記外ケース１後部の肩部材１１部分に対してヒンジ機構を介して上下方向に回動自在に取付けられており、その開放端側には、該蓋ユニット２の所定位置に係合して該蓋ユニット２の上下方向への開閉を行うロック／アンロック機構１８が設けられている。
【００４３】
以上のように、この発明の最良の実施の形態では、炊飯又は保温加熱制御用のマイコンを備えたマイコン基板５１と、該マイコン基板５１に対して液晶ホルダー５５を介して設置される液晶表示手段とを備えてなる電気炊飯器において、上記液晶ホルダー５５の裏面側に、ドットマトリクス表示方式の液晶表示手段５３Ａを駆動制御するマイコンを備えた表示制御基板５２を設け、上記液晶ホルダー５５を介してドットマトリクス表示方式の液晶表示手段５３Ａを搭載駆動できるようにしている。
【００４４】
このような構成によれば、液晶ホルダー５５裏面の空きスペースを利用して有効にドットマトリクス表示方式の液晶表示手段５３Ａを駆動制御するためのマイコンを備えた表示制御基板５２を設置することができる。
【００４５】
したがって、上記液晶ホルダー５５の表面にドットマトリクス表示方式の液晶表示手段５３Ａを設置すれば、容易に各種情報のドットマトリクス表示を可能とすることができる。
【００４６】
また、同構成では、セグメント表示方式の液晶表示手段５３Ｂを駆動制御することができる炊飯又は保温加熱制御用のマイコン３２を備えたマイコン基板５１と、該マイコン基板５１に対して液晶ホルダー５５を介して設置されるセグメント表示方式の液晶表示手段５３Ｂとを備えてなる電気炊飯器において、上記液晶ホルダー５５の裏面側に、ドットマトリクス表示方式の液晶表示手段５Ａを駆動制御するマイコンを備えた表示制御基板５２を設け、上記液晶ホルダー５５を介して上記セグメント表示方式の液晶表示手段５３Ｂ又はドットマトリクス表示方式の液晶表示手段５３Ａの何れか一方の液晶表示手段を任意に搭載駆動できるようにしている。
【００４７】
このような構成によれば、液晶表示手段を設置するための液晶ホルダー５５をセグメント表示方式の液晶表示手段５３Ｂとドットマトリクス表示方式の液晶表示手段５３Ａとに共用できることから、２種の液晶表示手段の搭載が容易になる。
【００４８】
もちろん、その場合において、上記炊飯又は保温加熱制御に関連して液晶表示手段を駆動制御するマイコン基板５１は、上記セグメント表示方式の液晶表示手段５３Ｂおよびドットマトリクス表示方式の液晶表示手段５３Ａの各々に共通に使用されるようになっている。
【００４９】
このように、ドットマトリクス表示方式の液晶表示手段５３Ａおよびセグメント表示方式の液晶表示手段５３Ｂ各々の基本となる入出力表示制御を行うマイコン制御ユニット３２を備えたマイコン基板（ベース基板）５１を共用化すると、マイコン基板自体の汎用性が高くなり、製品コストも低下する。また、設置スペースも小さくて済む。
【００５０】
さらに、そのようにした場合において、同構成では、上記マイコン基板５１に設けられているセグメント表示方式の液晶表示手段５３Ｂの接続用コネクター７０を利用してドットマトリクス表示方式の液晶表示手段５３Ａをマイコン基板５１に接続するようにしている。
【００５１】
このような構成によれば、マイコン基板５１側の液晶表示手段接続用コネクター７０を必要以上に増やす必要がなく、基板の加工、接続も容易になる。
【００５２】
これらの結果、同構成によると、ドットマトリクス表示方式の液晶表示を低コストかつコンパクトな装置構造で実現することができる。またドットマトリクス液晶と従来液晶を選択的に採用して異なる機種を構成する場合のベース基板（基本となるマイコン制御基板）を共用化することができるようになり、部品点数が減少して、低コストになる。
【００５３】
（その他の実施の形態）
以上のような電気炊飯器では、機種（容量）の切替を一般にマイコン基板５１に設けたジャンパースイッチにより行っていた。
【００５４】
ところで、開発時は、サイズ（容量）の切替を容易にする必要があり、ジャンパーソケットとジャンパースイッチを並設することが便利であるが、他方量産時は、液晶ホルダー５５が異なるケースもあるため、共用ができずジャンパースイッチは不用である。
【００５５】
そこで、このような２つの条件を満たすためにパターンを工夫し、ジャンパーソケット（２．５ｍｍ）とジャンパースイッチ（２．５ｍｍ）を直列に接続し、共用ピッチとすることが考えられる。
【００５６】
そのようにすると、ジャンパーソケット代が削減される。また開発時は、共用基板での使い回しが可能となる。
【図面の簡単な説明】
【００５７】
【図１】本願発明の最良の実施の形態に係る電気炊飯器の炊飯器本体全体の構成を示す断面図である。
【図２】同電気炊飯器のドットマトリクス表示方式の液晶表示部を中心とする操作パネル部分の拡大断面図である。
【図３】同電気炊飯器のセグメント表示方式の液晶表示部を中心とする操作パネル部分の拡大断面図である。
【図４】同電気炊飯器のドットマトリクス表示方式の液晶パネルの標準的な表示パターンにおける表示状態の構成を示す正面図である。
【図５】同電気炊飯器の操作パネル部分の液晶ホルダーのドットマトリクス表示方式の液晶パネル設置時におけるスケルトン状態での構成を示す正面図である。
【図６】同電気炊飯器の操作パネル部分の液晶ホルダーのセグメント表示方式の液晶パネル設置時におけるスケルトン状態での構成を示す正面図である。
【図７】同電気炊飯器の液晶ホルダーの液晶パネル非搭載状態における構成を示す斜視図である。
【図８】同電気炊飯器の液晶ホルダーのドットマトリクス表示方式の液晶パネルを搭載した状態における構成を示す斜視図である。
【図９】同電気炊飯器のドットマトリクス表示方式の液晶パネル搭載時の構成を示す分解側面図である。
【図１０】同電気炊飯器のセグメント表示方式の液晶パネル搭載時の構成を示す分解側面図である。
【図１１】同電気炊飯器のドットマトリクス表示方式の液晶パネルの構成を示す斜視図である。
【図１２】同電気炊飯器のセグメント表示方式の液晶パネルの構成を示す斜視図である。
【図１３】同電気炊飯器のドットマトリクス表示方式の液晶パネルに対応する表示制御基板の構成を示す斜視図である。
【図１４】同電気炊飯器のマイコン基板の構成を示す斜視図である。
【図１５】同電気炊飯器のドットマトリクス表示方式の液晶パネル搭載時の制御回路構成を示す図である。
【図１６】同電気炊飯器のセグメント表示方式の液晶パネル搭載時の制御回路構成を示す図である。
【符号の説明】
【００５８】
Ｃ1，Ｃ2，Ｃ3はワークコイル、Ｈ1は保温ヒータ、Ｈ2は肩ヒータ、１は外ケース、２は蓋ユニット、３は内鍋、２０は操作パネル、２１は液晶表示部、５１はマイコン基板、５２は表示制御基板、５３Ａはドットマトリクス表示方式の液晶パネル、５３Ｂはセグメント表示方式の液晶パネル、５５は液晶ホルダーである。
【図１】
2007050130.tif 000003
【図２】
2007050130.tif 000004
【図３】
2007050130.tif 000005
【図４】
2007050130.tif 000006
【図５】
2007050130.tif 000007
【図６】
2007050130.tif 000008
【図７】
2007050130.tif 000009
【図８】
2007050130.tif 000010
【図９】
2007050130.tif 000011
【図１０】
2007050130.tif 000012
【図１１】
2007050130.tif 000013
【図１２】
2007050130.tif 000014
【図１３】
2007050130.tif 000015
【図１４】
2007050130.tif 000016
【図１５】
2007050130.tif 000017
【図１６】
2007050130.tif 000018